(57)【要約】      （修正有）【課題】入浴後などにおいて、整髪などを行う際に着用して上半身がはだけた状態を回避することが可能な吸水性に富んだ肩着を提供する。【解決手段】肩着１は、２枚の長尺の布体２、３が、長尺方向が左右方向を向き前後に並んだ状態で、且つ一方の布体２の上端と他方の布体３の下端とがつき合わさるように配備されていて、一方の布体２と及び他方の布体３とがつき合わさったライン上であって、布体２、３の中央部及び両端部以外の部分である左右中途部において、一方の布体２の上端と他方の布体３の下端とが連結され、布体２、３の中央部が使用者の頭部を貫通させるための開口部５とされ、一方の布体２の下端と他方の布体３の上端とを連結可能とする締結具７が配設されている。【選択図】図１
0003211222.tif 000002
【実用新案登録請求の範囲】
【請求項１】
２枚の長尺の布体が、長尺方向が左右方向を向き前後に並んだ状態で、且つ一方の布体の上端と他方の布体の下端とが突き合わさるように配備されていて、
前記一方の布体と及び他方の布体とが突き合わさったライン上であって、前記布体の中央部及び両端部以外の部分である左右中途部において、一方の布体の上端と他方の布体の下端とが連結され、
前記布体の中央部が使用者の頭部を貫通させるための開口部とされ、
前記一方の布体の下端と他方の布体の上端とを連結可能とする締結具が配設されている
ことを特徴とする肩着。
【考案の詳細な説明】
【技術分野】
【０００１】
本考案は、例えば、入浴後において、髪の乾燥やセットなどを行う際に着用する吸水性に富んだ肩着に関する。
【背景技術】
【０００２】
入浴後における髪の乾燥、セットや顔の手入れなどには、多くの手間を要するものである。特に女性の場合は、入浴後の髪の乾燥、セット（以降、整髪と呼ぶ）などには時間を要する。
入浴後は、バスタオルなどを用いて体表面の水分や汗を拭きとったのち、洗面所や脱衣場に備え付けられた鏡の前で、髪の整髪を行うことになるが、整髪前に着替えを済ませておいた場合、整髪中に汗をかいてしまうといった不都合が生じることが考えられる。そもそも、夏場の場合、入浴後すぐに服を着るといったことが困難であると思われる。
【０００３】
そこで、多くの場合、汗を拭く際に用いたバスタオルを腰に巻いたまま、洗面所や脱衣場に備え付けられた鏡の前に立ち、整髪や顔面の肌の手入れを行うこととなる。
バスタオルは別名「腰巻タオル」という名でも呼ばれるように、体を拭くばかりか、腰に巻き下半身を隠すことに用いられる。男性の場合は、特に問題はないが、女性の場合、バスタオルを腰に巻いた状態では上半身がはだけた状態のままとなり、見栄えの悪いことになる。
【０００４】
自宅の洗面場において、上半身がはだけた状態になるならいざ知らず、銭湯などの公衆浴場で上半身がはだけた状態となることは、自分自身の羞恥心を掻き立てるのみならず、周りの人から見てもあまり好ましいものとは思えない。
このような状況を回避しつつ整髪に資するものとして、特許文献１に開示された技術を採用することが考えられる。
【０００５】
特許文献１は、洗髪後の濡れた髪を自然乾燥する際に使用するヘアードライエプロンで、布の上端にバンドを付け、下部にポケットを付け、裏面に防水シートを取り付けた構成になるヘアードライエプロンを開示する。
【先行技術文献】
【特許文献】
【０００６】
【特許文献１】実開平６−４１６１１号公報
【考案の概要】
【考案が解決しようとする課題】
【０００７】
しかしながら、特許文献１に開示されたヘアードライエプロンを着用したとしても、上半身がはだけた状態のままとなり、見栄えの悪い状態を回避することはできない。
つまり、「背景技術」で述べた問題、銭湯などの公衆浴場において、女性がバスタオルを腰に巻き、上半身がはだけた状態となり見栄えの悪いままで整髪を行う状況を、特許文献１の技術は解決するものとはなっていない。
【０００８】
そこで、本考案は、入浴後などにおいて、整髪などを行う際に着用して上半身がはだけた状態を回避することが可能な吸水性に富んだ肩着を提供することを目的とする。
【課題を解決するための手段】
【０００９】
上記課題を解決するため、本考案では以下の技術的手段を講じている。
即ち、本考案の肩着は、２枚の長尺の布体が、長尺方向が左右方向を向き前後に並んだ状態で、且つ一方の布体の上端と他方の布体の下端とが突き合わさるように配備されていて、前記一方の布体と及び他方の布体とが突き合わさったライン上であって、前記布体の中央部及び両端部以外の部分である左右中途部において、一方の布体の上端と他方の布体の下端とが連結され、前記布体の中央部が使用者の頭部を貫通させるための開口部とされ、前記一方の布体の下端と他方の布体の上端とを連結可能とする締結具が配設されていることを特徴とする。
【考案の効果】
【００１０】
本考案の技術によれば、入浴後などにおいて、整髪などを行う際に着用して上半身がはだけた状態を回避することが可能となる。
【図面の簡単な説明】
【００１１】
【図１】本実施形態の肩着を広げた状態で裏面側から示した図である。
【図２】本実施形態の肩着の使用態様を示した図である。
【考案を実施するための形態】
【００１２】
以下、本考案に係る肩着について、図を基に説明する。
図２に示す如く、本考案の肩着１は、使用者Ｍの首回りに「ポンチョ」のように装着されることで、使用者Ｍの肩から上半身を覆うように着用されるものである。なお、ポンチョとは、南アメリカなどで用いられる袖なしの外衣であり、布の中央に穴をあけて頭を出し、前後に垂らして着る着衣のことである。
【００１３】
図１に示すように、本考案の肩着１は、吸水性に富んだタオル地の布を２枚使用して形成されている。図１には、本考案の肩着１を平面上（例えば、テーブル上）に広げた状態を描いており、肩着１の裏面側から見た状況を示している。なお、図１において、前布２の右下の隅と、後布３の左上の隅（着衣時は左下隅となる）は、布の隅を折り返した状態で示している。
【００１４】
図１から明らかなように、肩着１を構成する２枚の布（一方の布体、他方の布体）は、それぞれが略同じ形状であって、左右方向に長尺となっている。それぞれの布は、縦が３０ｃｍ〜４０ｃｍであり、横が７０ｃｍ〜９０ｃｍとなっている。
なお、本実施形態では、理解を容易にするため、一方の布体を前布２と呼び、他方の布体を後布３と呼んでいる。これは、本肩着１を着用した際に、一方の布体が使用者Ｍの胸側に位置し、他方の布体が使用者Ｍの背中側に位置するためである。
【００１５】
さて、上記した寸法の前布２と後布３、すなわち２枚の吸湿性に富んだタオル地の布を、例えばテーブル上において長尺方向が左右方向を向いた状態にし、さらに前後に並べ、前布２の上端と後布３の下端とがつき合わさるように配置する。
その上で、前布２と後布３がつき合わさったライン（突合せラインＬ）上において、左右方向の中央から左右に約１７ｃｍはそのままとし、中央から約１７ｃｍ〜約２６ｃｍに亘って突合せラインＬ（前布２の上端と後布３の下端）を縫い合わせて、縫い合わせ部４とする。縫い合わせの仕方は、どのような方法でもよいが、例えば、平縫いでもよく、渡しまつり縫いでもよい。また、両布を布用の接着剤で塗着させるようにしてもよい。
【００１６】
２枚の布は、突合せラインＬにおいて、その両端まで縫い合わせることはせず、両端約１５ｃｍは縫いつけない状態としておく。
こうすることで、突合せラインＬにおいて、突合せラインＬの左右方向中央約３４ｃｍが開口部５となり、突合せラインＬの左右方向両端部約１５ｃｍがそれぞれ切れ込み部６となる。
【００１７】
なお、前布２、後布３の左右両端は三つ折りにされていてもよく。折り目がない状態でもよい。好ましいのは、市販されているタオルを用意し、横に長尺となるように前後に配置し、それぞれを前布２、後布３としたうえで、上述の如く縫い合わせにより結合するとよい。このように、前布２、後布３を市販の手拭いタオル（長尺タオル）とすることで、安価でありながらお洒落な肩着１を製作することが可能となる。
【００１８】
なお、前布２と後布３との結合を縫い合わせるのではなく、運動会などで使用するゼッケンのように紐を用いて連結するようにしてもよい。
さて、本実施形態の場合、前布２の左下端部と、後布３の左上端部（着衣時は左下端部）とを締結するために、肩着１を構成する布に締結具が備えられるものとなっている。
同じく、前布２の右下端部と、後布３の右上端部（着衣時は右下端部）とを締結するために、肩着１を構成する布に締結具が備えられるものとなっている。締結具としては、例えば、スナップボタン７が採用可能である。
【００１９】
図１に示すように、本実施形態の場合、前布２の左下端部裏面にスナップボタン７のオス部Ａが設けられ、後布３の左上端部表面にスナップボタン７のメス部Ｂが設けられている。同じく、前布２の右下端部表面にスナップボタン７のメス部Ｂが設けられ、後布３の右上端部裏面にスナップボタン７のオス部Ａが設けられている。
また、図１に示す如く、前布２と後布３とを縫い合わせた部分（縫い合わせ部４）の端部、言い換えれば、縫い合わせ部４と開口部５との境であって肩着１の表面には、リボン８等の装飾具を取り付けておくことが好ましい。こうすることにより、本考案の肩着１を着用した際に、非常にお洒落な感じを醸し出すことができるようになる。また、リボン８の向きで、本考案の肩着１を横長状態で着ているか、縦長状態で着ているかを容易に判別することが可能となる（詳細は後述）。
【００２０】
以上述べた、本考案にかかる肩着１の着用方法、及び使用態様について、以下に述べる。  
まず、着用方法であるが、図１に示す如く、肩着１を横長（前布２、後布３の長尺方向が左右方向）となるように配置し、開口部５を貫通するように使用者Ｍの頭を、前布２及び後布３の裏面側（図１における紙面貫通方向）から通し、使用者Ｍの首周りから肩を隠すように、肩着１を着衣する。ここで、使用者Ｍとしては、主に女性を念頭に置いているが、男性が使用しても全く問題はない。
【００２１】
開口部５に頭を通した後は、図１に示す右側の縫い合わせ部４を使用者Ｍの右肩稜線に合わせるように、左側の縫い合わせ部４を使用者Ｍの左肩稜線に合わせるようにする。その上で、使用者Ｍの左腕の下において、図１における、前布２の左下端部裏面のスナップボタン７のオス部Ａを、後布３の左上端部表面にスナップボタン７のメス部Ｂに嵌め込み、両端を一時的につなぎ合わせ筒状とする。この筒状部９に使用者Ｍの左腕が通ることとなる。
【００２２】
同様に、使用者Ｍの右腕の下において、図１に示す後布３の右上端部裏面にあるスナップボタン７のオス部Ａを、前布２の右下端部表面のスナップボタン７のメス部Ｂに嵌め込み、両端を一時的につなぎ合わせ筒状とする。この筒状部９に使用者Ｍの右腕が通ることとなる。
このようにすると、図２に示す如く、本考案の肩着１が、使用者Ｍの前胸を隠しつつ、上半身、首周りを覆うように着用されることとなる。いわばポンチョ風に、肩着１が使用者Ｍに着用されることとなる。
【００２３】
この状態においては、端部の切れ込み部６があるため、筒状部９が邪魔にならず両腕を容易に上方へあげることができ、整髪、すなわちドライヤーやブラシを手に持ち、頭部にあてがう行為を容易に行うことができる。また、前布２が使用者Ｍの胸部を覆い隠すため、公衆浴場の脱衣場であっても、胸部がはだけた状況を気にする必要がなくなり、プライバシーを確実に守ることができる。言い換えれば、公衆浴場の脱衣場などにおいて、ドライヤーや化粧時などに前布２で胸部が覆われるため、他人の目を気にする必要がなく、ストレスと感じることがなくなる。また、前布２、後布３は単なる長尺の布体であるため、使用者Ｍの体格に左右されることがない。すなわち、様々な体格の人であっても、本考案の肩着１を着用することが可能となる。
【００２４】
本考案の肌気を肩着１を構成する前布２、後布３の表面に綺麗な図柄があるものを採用することで、着用時にお洒落感を出すこともできるし、この肩着１を、脱落した髪毛の付着防止具（ケープ)として使用することもできる。
同時に、胸部、言い換えれば上半身の前部における汗や水分を、前布２が容易に吸い取ってくれるため、わざわざ、別のタオルで汗などを拭きとる必要性はない。同様に、背部、言い換えれば上半身の後部における汗や水分を、後布３が容易に吸い取ってくれるため、わざわざ、別のタオルで汗などを拭きとる必要性はない。整髪が終わるころには、肩着１により汗が吸い取られ、肌が乾燥した状態となる。
【００２５】
なお、図１の二点鎖線で新す如く、本考案の肩着１によれば、左右両方のスナップボタン７を嵌め込む前に、後布３を持ち上げることで、この後布３を使用者Ｍの頭部へ持ってゆき、頭部の髪の水分を拭き取ることも可能なものとなっている（図２の白抜矢印）。
この肩着１の使用後は、洗濯することにより再利用することが可能である。
ところで、上記した使用態様は、本考案の肩着１を横長の方向で使用した場合であったが、縦長にして使用する（兼用する）ことも可能である。
【００２６】
すなわち、肩着１の前布２、後布３の長尺方向が前後方向となるように配置した上で、開口部５に、使用者Ｍの頭を通すようにする。
頭を通した後は、左右それぞれの締結具を左右それぞれの腕の下で締結し、肩着１をポンチョ風に着るようにする。
このようにすると、本考案の肩着１が前後に長尺となるため、使用者Ｍの胸部から腹部を隠すように着用されることとなる。そのため、公衆浴場の脱衣場であっても、胸部や腹部がはだけた状況を気にする必要がなくなる。同時に、胸部や腹部、言い換えれば上半身の前部における汗や水分を、前布２が容易に吸い取ってくれるため、わざわざ、別のタオルで汗などを拭きとる必要性はない。同様に、背部から腰部、言い換えれば上半身の後部を覆いつつ汗や水分を、後布３が容易に吸い取ってくれるため、わざわざ、別のタオルで汗などを拭きとる必要性はない。
【００２７】
肩着１を横長に着衣した場合、肩着１のリボン８は、使用者Ｍの肩稜線上に位置することになるが、肩着１を縦長に着衣した場合、肩着１のリボン８は、使用者Ｍの胸前に位置することになる。そのため、使用者Ｍは、本考案の肩着１を横長状態で着衣しているか、縦長状態で着衣しているか、一目瞭然に確認することができる。
以上述べた本考案の肩着１、すなわち、２枚の長尺の布体（前布２、後布３）が、長尺方向が左右方向を向いた状態で前後に並び、且つ前布２の上端と後布３の下端とがつき合わさるように配備されていて、前布２と及び他方の布体とがつき合わさったライン上であって、布体の中央部及び両端部以外の部分である左右中途部において、前布２の上端と後布３の下端とが連結され、布体の中央部が使用者Ｍの頭部を貫通させるための開口部５とされ、前布２の下端と後布３の上端とを連結可能とする締結具が配設されている肩着１によれば、入浴後などにおいて、整髪などを行う際に着用し、上半身がはだけた状態を回避することが可能となる。
【００２８】
なお、今回開示された実施形態はすべての点で例示であって制限的なものではないと考えられるべきである。特に、今回開示された実施形態において、明示的に開示されていない事項、例えば、構成物の寸法、重量、体積などは、当業者が通常実施する範囲を逸脱するものではなく、通常の当業者であれば、容易に想定することが可能な値を採用している。
【００２９】
例えば、本考案の肩着１は、入浴後ではなく、水泳や海水浴後にも利用可能である。
【符号の説明】
【００３０】
１    肩着
２    前布
３    後布
４    縫い合わせ部
５    開口部
６    切れ込み部
７    スナップボタン（締結具）
８    リボン
９    筒状部
Ａ    オス部
Ｂ    メス部
Ｌ    突合せライン
Ｍ    使用者
【図１】
0003211222.tif 000003
【図２】
0003211222.tif 000004